(57)【特許請求の範囲】
【請求項１】
表面及び裏面を有する略方形状であり、一方の足裏で一部を踏み付けて位置固定した状態で、他方の足裏を表面のブラシ部で擦ることにより該足裏を洗浄する足裏洗浄マットにおいて、該足裏洗浄マットはシリコン樹脂等の軟質合成樹脂で形成されており、表面には全面に亘ってブラシ部が形成され、裏面には全面に亘ってグリップ溝が形成され、該グリップ溝の凸部は一方の足裏による踏み付け時及び／又は他方の足裏による擦り時の加圧により揺動可能な柔軟性を有すると共に、該グリップ溝の凹部は足裏洗浄マットの縁部にまで連通して排水機能を有しており、足裏洗浄マット全体が手の平サイズの大きさであり、且つ前記ブラシ部のブラシ毛の中間部に先鋭突部が形成されていることを特徴とする足裏洗浄マット。
【請求項２】
表面及び裏面を有する略方形状であり、一方の足裏で一部を踏み付けて位置固定した状態で、他方の足裏を表面のブラシ部で擦ることにより該足裏を洗浄する足裏洗浄マットにおいて、該足裏洗浄マットはシリコン樹脂等の軟質合成樹脂で形成されており、表面には全面に亘ってブラシ部が形成され、裏面には全面に亘ってグリップ溝が形成され、該グリップ溝の凸部は一方の足裏による踏み付け時及び／又は他方の足裏による擦り時の加圧により揺動可能な柔軟性を有すると共に、該グリップ溝の凹部の一部ないしは全部が連通して排水機能を有しており、前記グリップ溝の凸部と略同一高さを有する縁部が足裏洗浄マットの周縁に形成されており、足裏洗浄マット全体が手の平サイズの大きさであり、且つ前記ブラシ部のブラシ毛の中間部に先鋭突部が形成されていることを特徴とする足裏洗浄マット。
【請求項３】
前記ブラシ部のブラシ毛の上部の周囲に括れ部及び／又は膨出部が形成されていることを特徴とする請求項１又は２に記載の足裏洗浄マット。
【請求項４】
前記足裏洗浄マットの大きさが、縦７５〜１１５ｍｍ、横１２０〜１９０ｍｍであることを特徴とする請求項１〜３のいずれかに記載の足裏洗浄マット。
【発明の詳細な説明】
【０００１】
【発明の属する技術分野】
本発明は足裏洗浄マットに関し、詳しくは風呂場等で用いられ、足裏を楽に洗浄できる足裏洗浄マットに関する。
【０００２】
【従来の技術】
従来、足を洗浄するには、風呂場等で、タオル、洗浄布、スポンジ、軽石等、風呂場に用意された種々様々な洗浄用具を使用して行っていた。
【０００３】
足の洗浄の際、特に足裏は、人体の末端部分に位置することから無理な姿勢を強いられ、腰、手に大きな負担がかかる。個人差はあるものの、老化、肥満、腰痛、手足の障害、怪我等によってその負担はより増大し、極めて面倒な作業を強いられることにもなっている。
【０００４】
そこで、足裏の洗浄を楽に行うための洗浄用具が種々提案されている（特許文献１、特許文献２、特許文献３、特許文献４、特許文献５参照。）。
【０００５】
【特許文献１】
特開平９−１４０６１６号公報
【特許文献２】
特開平９−２５２９９５号公報
【特許文献３】
特開平１１−４７０２８号公報
【特許文献４】
実開平１−９０４８９号公報
【特許文献５】
実開平２−７９８８５号公報
【０００６】
【発明が解決しようとする課題】
上記従来の洗浄用具は、肌触りも悪く、足載せ台や吸盤など構成部材が多いだけでなく、形状及び構造が複雑であり、大きさも嵩張るものであり、限られたスペースの風呂場では不使用時のみならず使用時も邪魔になる場合がある。
【０００７】
例えば、特許文献３に記載の技術は、足を載せてマットを固定するためのサポート部を有しているが、他方の足裏を洗う際には、マットを１８０°回転する必要が生じる。
【０００８】
また、特許文献４に記載の技術は、マットの固定に吸盤を用いるため、使用する場所が吸盤吸着個所に限られてしまうだけでなく、かかる吸盤吸着個所も濡れていると吸盤が滑ってしまう場合がある。
【０００９】
そこで本発明の課題は、マットを動かすことなく、左・右の足裏を洗浄できるし、マットの使用場所も問わず、濡れた床でも容易に固定することができ、しかも肌触りがよく、足裏の洗浄を楽に且つ確実に行うことができる、より簡易な構成の足裏洗浄マットを提供することにある。
【００１０】
【課題を解決するための手段】
上記本発明の課題は下記構成によって達成される。
【００１１】
１．表面及び裏面を有する略方形状であり、一方の足裏で一部を踏み付けて位置固定した状態で、他方の足裏を表面のブラシ部で擦ることにより該足裏を洗浄する足裏洗浄マットにおいて、該足裏洗浄マットはシリコン樹脂等の軟質合成樹脂で形成されており、表面には全面に亘ってブラシ部が形成され、裏面には全面に亘ってグリップ溝が形成され、該グリップ溝の凸部は一方の足裏による踏み付け時及び／又は他方の足裏による擦り時の加圧により揺動可能な柔軟性を有すると共に、該グリップ溝の凹部は足裏洗浄マットの縁部にまで連通して排水機能を有しており、足裏洗浄マット全体が手の平サイズの大きさであり、且つ前記ブラシ部のブラシ毛の中間部に先鋭突部が形成されていることを特徴とする足裏洗浄マット。
【００１２】
２．表面及び裏面を有する略方形状であり、一方の足裏で一部を踏み付けて位置固定した状態で、他方の足裏を表面のブラシ部で擦ることにより該足裏を洗浄する足裏洗浄マットにおいて、該足裏洗浄マットはシリコン樹脂等の軟質合成樹脂で形成されており、表面には全面に亘ってブラシ部が形成され、裏面には全面に亘ってグリップ溝が形成され、該グリップ溝の凸部は一方の足裏による踏み付け時及び／又は他方の足裏による擦り時の加圧により揺動可能な柔軟性を有すると共に、該グリップ溝の凹部の一部ないしは全部が連通して排水機能を有しており、前記グリップ溝の凸部と略同一高さを有する縁部が足裏洗浄マットの周縁に形成されており、足裏洗浄マット全体が手の平サイズの大きさであり、且つ前記ブラシ部のブラシ毛の中間部に先鋭突部が形成されていることを特徴とする足裏洗浄マット。
【００１３】
３．前記ブラシ部のブラシ毛の上部の周囲に括れ部及び／又は膨出部が形成されていることを特徴とする上記１又は２に記載の足裏洗浄マット。
【００１５】
４．前記足裏洗浄マットの大きさが、縦７５〜１１５ｍｍ、横１２０〜１９０ｍｍであることを特徴とする上記１〜３のいずれかに記載の足裏洗浄マット。
【００１６】
以下、本発明に係る足裏洗浄マットの参考発明として挙げる。
５．足裏洗浄マットの表面のブラシ部のブラシ毛とブラシ毛との間隙部分に、永久電気双極子結晶鉱物を含有して洗浄時の水分を利用してマイナスイオンを発生する１ないし複数個のイオン発生体が、表面露出状態で配設されていることを特徴とする上記１〜４のいずれかに記載の足裏洗浄マット。
【００１７】
６．前記イオン発生体が、永久電気双極子結晶鉱物と合成樹脂とを混合した後に成形して得られた成形体であることを特徴とする上記５に記載の足裏洗浄マット。
【００１８】
７．前記イオン発生体が、永久電気双極子結晶鉱物と土器・陶器・せっ器・磁器の原料土とを混合した後に成形して得られた焼物であることを特徴とする上記５に記載の足裏洗浄マット。
【００１９】
【発明の実施の態様】
以下、本発明の詳細について説明する。
【００２０】
先ず、図１〜図５に基き、本発明に係る足裏洗浄マットの参考例について説明する。
【００２１】
図１は本発明に係る足裏洗浄マットの参考例を示す平面図、図２は図１の底面図、図３は図２のＩＩＩ−ＩＩＩ線断面図、図４は図１の部分拡大断面図、図５はブラシ部のブラシ毛の他の参考例を示す部分拡大側面図である。
【００２２】
図１〜図４に示すように、足裏洗浄マット１は、肌触りのよいシリコン樹脂、その他の軟質合成樹脂で形成されており、表面には足裏を洗浄するためのブラシ部２が全面に亘って形成され、裏面には風呂場の床面Ｆに接地した際に滑り止めとして機能するグリップ溝３が全面に亘って形成されている。
【００２３】
グリップ溝３は、図２に示すように凸部３Ａと凹部３Ｂとから構成されており、凸部３Ａは一方の足裏による踏み付け時及び／又は他方の足裏による擦り時の加圧により図４の仮想線で示すように揺動可能な柔軟性を有しており、凹部３Ｂは図２内の部分拡大図に示すように足裏洗浄マット１の縁部１Ａにまで連通して排水機能を有している。
【００２４】
グリップ溝３の凸部３Ａの揺動により、床面Ｆにグリップする。また、グリップ溝３の凹部３Ｂの排水機能により、床面Ｆが濡れていても足裏洗浄マット１は滑ることなく容易に固定される。
【００２５】
ブラシ部２は、足裏を擦ることにより該足裏を洗浄するものであり、足裏洗浄マット１本体の射出成形時に一体的に形成されている。
【００２６】
またブラシ部２は、図３に示すように、土踏まず等を洗浄し易いように、その全面が湾曲凸面状、即ち、中央部が盛り上がるように各ブラシ毛の長さ寸法が調整されていることが好ましい。
【００２７】
さらにブラシ部２は、図４に示すように、細長毛部２Ａと太短毛部２Ｂの長さ及び／又は太さの異なる複数のブラシ毛から構成されていることが好ましい。本実施例では、細長毛部２Ａにより足裏等の皮膚の凹凸等への追従性及び洗浄性を高めると共に、太短毛部２Ｂによりブラシ部２の腰を強くすることで皮膚への刺激を高めるように構成してある。細長毛部２Ａは図４の仮想線で示すように揺動したり、或いは屈曲したりすることで皮膚の凹凸等へ追従する。
【００２８】
さらにまたブラシ部２のブラシ毛には、図４に示すように細長毛部２Ａの上部の周囲に括れ部２Ｃが設けられていることが好ましい。括れ部２Ｃを設けることにより、洗剤と足の接触感が増加するので洗浄効果が向上する。この図４に示す態様では、１本のブラシ毛に対して括れ部２Ｃを２箇所設けているが、本発明はこれに限定されず、図５に示すように１本のブラシ毛に対して括れ部２Ｃは１箇所であってもよい。更に図示していないが、３箇所以上であってもよい。尚、図５の図中にブラシ毛の各部の好ましいサイズを示した。
【００２９】
足裏洗浄マット１の大きさは、風呂場等の床面Ｆに置き、一方の足で一部を踏み付けて位置固定した状態で、他方の足裏を表面のブラシ部２に擦ることができる大きさであり、マットはそのままの状態で、他方の足で一部を踏み付けることで、もう一方の足裏も洗浄できるし、しかも、足裏以外の部分、即ち、甲、踵、踝、足指間等を洗浄する際に片手で取り扱い可能な大きさとなっている。かかる大きさとして、手の平サイズであることが望ましく、具体的には、概ね縦７５〜１１５ｍｍ、横１２０〜１９０ｍｍ、好ましくは縦８５〜１０５ｍｍ、横１４０〜１７０ｍｍである。
【００３０】
また、足裏洗浄マット１の厚みは概ね５〜３０ｍｍ、好ましくは１０〜１５ｍｍであり、ブラシ部２の突起長さは概ね２．５〜１５ｍｍ、好ましくは５〜９ｍｍであり、グリップ部３の凹凸は概ね０．５〜５ｍｍ、好ましくは１．５〜４ｍｍである。
【００３１】
尚、滑り止めとして機能するグリップ溝３のパターン形状としては、風呂場の床面Ｆに接触した際に位置ズレが防止できるパターン形状であれば、図示した実施例に限らず種々様々なパターン形状を採ることができ、例えば、自動車タイヤや運動靴の靴底等のパターン形状を適用することもできる。
【００３２】
上記構成を有する足裏洗浄マット１は、ブラシ部２及びグリップ部３を含む全体が一体成形されていることが好ましく、ブラシ部２のみならず、グリップ部３も洗浄に使用することができる。
【００３３】
次に、図６〜図１２に基き、本発明に係る足裏洗浄マットの実施例について説明する。
【００３４】
図６は本発明に係る足裏洗浄マットの実施例を示す平面図、図７は図６の底面図、図８は側面図、図９は正面図、図１０は図７のＸ−Ｘ線端面図、図１１は図７のＸＩ−ＸＩ線端面図、図１２はブラシ部のブラシ毛を示す部分拡大側面図である。
【００３５】
図６〜図１１に示すように、足裏洗浄マット１１は、肌触りのよいシリコン樹脂、その他の軟質合成樹脂で形成されており、表面には足裏を洗浄するためのブラシ部１２が全面に亘って形成され、裏面には風呂場の床面に接地した際に滑り止めとして機能するグリップ溝１３が全面に亘って形成されている。
【００３６】
尚、上記その他の軟質合成樹脂としては、フェノール樹脂、メラミン樹脂、不飽和ポリエステル樹脂、エポキシ樹脂、シリコーン等の珪素樹脂、ポリウレタン樹脂等を挙げることができる。また、これ以外に、未加硫・半加硫ないし加硫されたポリスチレン系、ポリオレフィン系、ポリブタジエン系、ポリエステル系、ニトリルゴム、ポリクロロプレン、ポリウレタンゴム等を挙げることが可能であり、ポリエチレン、ナイロン、ポリ塩化ビニル、ポリプロピレン、ポリエステル、ポリアミド等を挙げることも可能である。
【００３７】
グリップ溝１３は、図７、図１０及び図１１に示すように凸部１３Ａと凹部１３Ｂと中間部１３Ｃとから構成されており、凸部１３Ａは一方の足裏による踏み付け時及び／又は他方の足裏による擦り時の加圧により柔軟に揺動することで床面に密着する。凹部１３Ｂは、一部ないしは全部が連通して排水機能を有している。中間部１３Ｃは、足裏による加圧がより強くなったときに床面に設置することで凸部１３Ａによるグリップ力を補助する機能を有している。
【００３８】
上述の参考例では、凹部３Ｂは足裏洗浄マット１の縁部１Ａにまで連通していたが、実施例では、縁部１１Ａはその全周に亘って凸部１３Ａと略同一高さとなっている。従って、床面が平滑ないしは平滑に近い状態の場合、足裏洗浄マット１１の底面全体が吸盤機能を果たすことになり、グリップ力がより向上することになる。
【００３９】
ブラシ部１２は、足裏を擦ることにより該足裏を洗浄するものであり、足裏洗浄マット１１本体の成形時に一体的に形成されている。該ブラシ部１２は、図８に示すように、土踏まず等を洗浄し易いように、その全面が湾曲凸面状、即ち、中央部が盛り上がるように各ブラシ毛の長さ寸法が調整されていることが好ましい。
【００４０】
また、ブラシ部１２は、図１２に示すように、ブラシ毛の上部の周囲に括れ部１２Ｃと膨出部１２Ｄが形成されていることが好ましい。さらに、ブラシ毛の中間部に先鋭突部１２Ｅが形成されている。
【００４１】
足裏を洗浄する際、ブラシ毛は足の動きに従って起きたり寝たり揺動するが、この際に、膨出部１２Ｄと先鋭突部１２Ｅが横になったり縦になったりすることで、石けん液や泡が括れ部１２Ｃに溜まり、洗浄効果が向上する。また、先鋭突部１２Ｅが足裏に刺激を与えるので、マッサージ効果も付随することになる。
【００４２】
本実施例において、特に説明の無い構成、例えば、大きさや厚み等の各サイズ、その他の構成等は参考例と同様であるので省略する。
【００４３】
本実施例では、上記ブラシ部１２に加えて、各ブラシ毛とブラシ毛との間隙部分に、マイナスイオンを発生するイオン発生体４を配設してもよい（参考発明５〜７）。
【００４４】
イオン発生体４は、永久電気双極子結晶鉱物を含有して洗浄時の水分が促進作用してマイナスイオンを発生するものであり、１ないし複数個が表面露出状態で配設されている。但し、図６に示すように、５〜１５個が均一分布状態で配設されていることが好ましい。配設手段としては、成形時にインサート成形したり、或いは後工程で埋め込み、貼付固定などの手段によって配設する。
【００４５】
本発明によれば、イオン発生体４は、特に洗浄時の水分や浴室の湿気によってマイナスイオンをプラスイオンより過分に発生させることを本発明者は確認した。足裏を洗浄する際に、足裏全体にイオン発生体４が接触するので、マイナスイオン発生効果をより増大させることとなる。さらに洗浄時の泡と共に発生したマイナスイオンは足裏洗浄マット１１周囲に放出され、浴室内をマイナスイオンで満たすことになり、人体の他の部位にもマイナスイオン効果を生ぜしめることとなる。
【００４６】
イオン発生体４に含有される永久電気双極子結晶鉱物としては、イオンを放出するものであれば公知のもの、例えば、モナズ鉱石、ヘルグソン鉱石、ラジウム鉱石、トルマリン、タウマリン、太陽石、花崗岩、硫黄石、ルビー等の自然石、若しくは永久電気双極子モーメントを有する人口合成鉱物、又はそれ等の混合物樹脂を用いることができる。中でも、僅かな水分でマイナスイオンを多く放出することから、モナズ鉱石、ヘルグソン鉱石、ラジウム鉱石、トルマリン、タウマリンが好ましく、特にモナズ鉱石、ヘルグスオン鉱石、ラジウム鉱石がポロニウム２１０等を含有するため好ましい。
【００４７】
本発明では、イオン発生源として永久電気双極子結晶鉱物を用いるため、電源不要で半永久的にイオンを発生させることができる。しかも、該永久電気双極子結晶鉱物の放射性により水分も腐り難くなるため臭いやカビ等も生ぜず衛生的である。
【００４８】
尚、永久電気双極子結晶鉱物は、放射性物質であるため、法律に基づく制定レベル（３７０ベクトル／ｇ以内）を厳守することは勿論である。
【００４９】
イオン発生体４は、永久電気双極子結晶鉱物を合成樹脂と混合して固めた多孔質イオン発生体であることが好ましい。この場合、毛細管現象を生じさせて、発汗による湿気をイオン発生体内部まで導き、よりマイナスイオン発散効果を高めるために、連続気泡を有する発泡樹脂として成形してもよい。
【００５０】
また、イオン発生体４は、上記の合成樹脂と混合して固めた以外に、永久電気双極子結晶鉱物と土器・陶器・せっ器・磁器の原料土とを混合した後に成形し焼成して得られた成形体であることも好ましい。せっ器の場合、酸化焼成によって多孔質の素地を形成することができる。
【００５１】
永久電気双極子結晶鉱物をセラミック化するには、永久電気双極子結晶鉱物を平均粒径０．３〜１００．０μｍの粉体とし、必要かつ充分な量（例えば５〜７０重量％）の該粉体と陶磁器素地用の粘土（平均粒径が１〜２００μｍ、例えば３０〜９５重量％）とを混合する。粘土としては木節粘土、蛙目粘土、及びカオリンが好ましい。
【００５２】
永久電気双極子結晶鉱物粉体と粘度とを混合した後、所望の形状に成形工程後、乾燥工程を経過して、焼成する。焼成温度は７００〜１３００℃の範囲が好ましい。尚、本発明のイオン発生体１には、０．１〜１０重量％のアルミニウム、ステンレス等の金属粉末、その他の添加物を含有していてもよい。
【００５３】
イオン発生体４は、例えば厚みが１ｍｍ以下のフィルムないしシート状であってもよいし、例えば５〜１０ｍｍ程度の板状体に形成されてもよく、大きさは最大径が例えば５〜２０ｍｍ程度のものであり、形状は円形・楕円形・正多角形・不定形など種々の形状を採ることができる。
【００５４】
なお、上記構成のイオン発生体４には、該イオン発生体４の湿度を感知して表示する湿度計を配設（例えば貼着）していてもよい。かかる構成の湿度計としては、空気中の湿度に左右されずに該湿度計を配設したイオン発生体４自体の湿度のみを感知するものが用いられ、その湿度状態を表示することにより、イオン発生体４の湿度から推定的に予め規定されているマイナスイオンの発生量を使用者に知らせる構成であることが好ましい。
【００５５】
イオン発生体４の湿度を感知して表示する湿度計としては、この種の湿度計乃至湿度センサーとして公知公用のものが用いられる。例えば、潮解性のある無機物結晶で水和の程度により変色する化合物の粉末を顔料の代わりに塗料に使用することにより、雰囲気の湿度により変色し、湿度を知らせることができる塗料を不織布や布帛に塗布した変色センサー型の物質表面湿度計が挙げられる。
【００５６】
イオン発生体４の湿度から該イオン発生体４の発生するマイナスイオン発生量を推定的に規定するには、販売に先立って、イオンセンサー及び湿度計によってマイナスイオンの発生量及びイオン発生体４の湿度とを予め測定し、両者の相関関係を前もって規定しておく。係る規定に基づき、足裏洗浄マット１１による洗浄を行った際に、前記関係係を当て嵌めるだけで、マイナスイオンの発生量を高価なイオンセンサーにより直接測定しなくても、該マイナスイオンが発生しているイオン発生体４の湿度から容易に推認することができることとなる。
【００５７】
従って、足裏洗浄マット１１本来の機能である洗浄機能に加えて、洗浄時の水分や浴室の湿気によってマイナスイオン発生量が増加することにより、マイナスイオン効果によって鎮静作用が大きく作用し、精神の安定を図ることができるようになる。
【００５８】
以上、本発明に係る足裏洗浄マットの実施例について説明したが、本発明は上記に限らず他の態様を採ることもできる。例えば、表面のブラシ部を参考例のブラシ部２とし、底面のグリップ溝を実施例のグリップ溝１３とする組合せとしてもよいし、その逆でもよい。また、参考例に実施例のイオン発生体４を配設することもできる。
【００５９】
【発明の効果】
請求項１及び２に示す本発明によれば、マットは、濡れた床に対しても確固に固定されるし、また、回動することなく、左も右もその足裏を洗浄できるし、しかも肌触りがよく、足裏の洗浄を楽に且つ確実に行うことができる、より簡易な構成の足裏洗浄マットを提供することができる。
【００６０】
また、請求項３に示す本発明によれば、ブラシ毛の膨出部と先鋭突部が横になったり縦になったりすることで、石けん液や泡が括れ部に溜まり、洗浄効果が向上する。また、先鋭突部が足裏に刺激を与えるので、マッサージ効果も付随することになる。
【００６１】
さらに、参考発明５〜７によれば、洗浄機能に加えて、洗浄時の水分や浴室の湿気によってマイナスイオン発生量が増加することにより、マイナスイオン効果によって鎮静作用が大きく作用し、精神の安定を図ることができる。
【００６２】
尚、本発明に係る足裏洗浄マットは、手の平サイズであることと相俟って、他の用途、例えば、パソコン入力時に使用するパームレスト（リストレスト、ハンドレストともいう。）等に用いて好適である。
【図面の簡単な説明】
【図１】本発明に係る足裏洗浄マットの参考例を示す平面図
【図２】図１の底面図
【図３】図２のＩＩＩ−ＩＩＩ線断面図
【図４】図１の部分拡大断面図
【図５】ブラシ部のブラシ毛の他の実施例を示す部分拡大側面図
【図６】本発明に係る足裏洗浄マットの実施例を示す平面図
【図７】図６の底面図
【図８】図６の側面図
【図９】図６の正面図
【図１０】図７のＸ−Ｘ線端面図
【図１１】図７のＸＩ−ＸＩ線端面図
【図１２】ブラシ部のブラシ毛を示す部分拡大側面図
【符号の説明】
１ 足裏洗浄マット（参考例）
１Ａ 縁部
２ ブラシ部
２Ａ 細長毛部
２Ｂ 太短毛部
２Ｃ 括れ部
３ グリップ溝
３Ａ 凸部
３Ｂ 凹部
Ｆ 風呂場の床面
１１ 足裏洗浄マット
１１Ａ 縁部
１２ ブラシ部
１２Ｃ 括れ部
１２Ｄ 膨出部
１２Ｅ 先鋭突部
１３ グリップ溝
１３Ａ 凸部
１３Ｂ 凹部
１３Ｃ 中間部
４ イオン発生体
【図１】
0004262462.tif 000002
【図２】
0004262462.tif 000003
【図３】
0004262462.tif 000004
【図４】
0004262462.tif 000005
【図５】
0004262462.tif 000006
【図６】
0004262462.tif 000007
【図７】
0004262462.tif 000008
【図８】
0004262462.tif 000009
【図９】
0004262462.tif 000010
【図１０】
0004262462.tif 000011
【図１１】
0004262462.tif 000012
【図１２】
0004262462.tif 000013